(57)【要約】【課題】本発明は、従来にない作用効果を発揮する画期的な雪冷房装置を提供することを目的とする。【解決手段】雪Ｓを収納する雪収納部１と、この雪収納部１に収納された雪Ｓと当接して該雪Ｓにより冷却される冷却流体Ｗが循環する流体通過管２ａ，２ｂ，２ｃ，２ｄで構成された冷却流体循環部２と、この冷却流体循環部２に連設され該冷却流体循環部２を流れる冷却流体Ｗにより冷却された冷気を送出する冷気送出部４とを具備する雪冷房装置であって、前記雪収納部１は、床面部１Ａとこの床面部１Ａの周囲に連設される壁面部１Ｂとを有する雪収納空間であり、この雪収納部１の床面部１Ａ及び壁面部１Ｂに前記流体通過管２ｃ，２ｄが配設されているものである。【選択図】図１
2008164251.tif 000002
【特許請求の範囲】
【請求項１】
雪を収納する雪収納部と、この雪収納部に収納された雪と当接して該雪により冷却される冷却流体が循環する流体通過管で構成された冷却流体循環部と、この冷却流体循環部に連設され該冷却流体循環部を流れる冷却流体により冷却された冷気を送出する冷気送出部とを具備する雪冷房装置であって、前記雪収納部は、床面部とこの床面部の周囲に連設される壁面部とを有する雪収納空間であり、この雪収納部の床面部及び壁面部に前記流体通過管が配設されていることを特徴とする雪冷房装置。
【請求項２】
請求項１記載の雪冷房装置において、前記雪収納部を構成する床面部、壁面部及び天井部には断熱構造が具備せしめられていることを特徴とする雪冷房装置。
【請求項３】
請求項１，２いずれか１項に記載の雪冷房装置において、前記冷却流体は液体であることを特徴とする雪冷房装置。
【請求項４】
雪を収納する雪収納部と、この雪収納部に収納された雪と当接して該雪により冷却される冷却流体が循環する流体通過管で構成された冷却流体循環部と、この冷却流体循環部に連設され該冷却流体循環部を流れる冷却流体により冷却されて得た冷気を送出する冷気送出部とを具備する雪冷房装置であって、前記雪収納部は、床面部とこの床面部の周囲に連設される壁面部とを有する雪収納空間であり、前記床面部には突出部が設けられ、この突出部には前記流体通過管が配設されていることを特徴とする雪冷房装置。
【請求項５】
請求項４記載の雪冷房装置において、前記突出部には前記壁面部に対向する立面部が設けられ、この立面部には前記流体通過管が配設されていることを特徴とする雪冷房装置。
【発明の詳細な説明】
【技術分野】
【０００１】
本発明は、雪冷房装置に関するものである。
【背景技術】
【０００２】
従来から、建築物の室内温度を下げるための冷房装置としてエアコンが広く使用されているが、このエアコンは、多くのエネルギー（電気）を消費し、しかも、大気中にフロンガスを放出することで自然環境に悪影響を及ぼしてしまうなどの問題点がある。
【０００３】
そこで、従来においても、例えば特開２００５−２９９９４４号に開示されるように、天然の雪を利用した雪冷房装置（以下、従来例という。）が提案されている。
【０００４】
この従来例は、図10に図示したように雪Ｓを収納する雪収納部21と、この雪収納部21に収納された雪Ｓと当接して該雪Ｓにより冷却される冷却流体Ｗが循環する流体通過管22ａ，22ｂ，22ｃで構成された冷却流体循環部22と、この冷却流体循環部22に連設され該冷却流体循環部22を流れる冷却流体Ｗにより冷却されて得た冷気を送出する冷気送出部24とを具備するものである。
【０００５】
従って、従来例は、天然の雪を利用した構造であるから、非常に経済的であり、しかも、環境にも優しいものとされる。
【０００６】
【特許文献１】特開２００５−２９９９４４号公報
【発明の開示】
【発明が解決しようとする課題】
【０００７】
しかしながら、従来例は次の問題点がある。
【０００８】
即ち、従来例は、前述したように雪収納部21の床面部21Ａに配設された流体通過管22ｃを雪収納部21に収納された雪Ｓと当接させることで、該流体通過管22ｃ内の冷却流体Ｗを冷却する構造（熱交換構造）であるが、実際に熱交換を進めた際、図11に図示したように雪収納部21に収納される雪Ｓは下方部位（特に中央部位）が融け、雪Ｓと床面部21Ａとの間に空洞Ｈが生じて対向する壁面部21Ｂ間に雪Ｓが架設された状態となる所謂ブリッジ現象が起きてしまう。
【０００９】
従って、流体通過管22ｃに雪Ｓが当接していない状態となり、雪Ｓと流体通過管22ｃ内の冷却流体Ｗとの良好な熱交換が行われず、よって、冷房機能が低下してしまうという問題点がある。この問題に対し、ブリッジ現象が生じた雪Ｓに、上方から散水したり、棒で突いたりして当該雪Ｓを崩しているが大変であり、実際にブリッジ現象が生じていることは分かりにくい。
【００１０】
本発明は、上述した問題点に鑑み、従来にない作用効果を発揮する画期的な雪冷房装置を提供するものである。
【課題を解決するための手段】
【００１１】
添付図面を参照して本発明の要旨を説明する。
【００１２】
雪Ｓを収納する雪収納部１と、この雪収納部１に収納された雪Ｓと当接して該雪Ｓにより冷却される冷却流体Ｗが循環する流体通過管２ａ，２ｂ，２ｃ，２ｄで構成された冷却流体循環部２と、この冷却流体循環部２に連設され該冷却流体循環部２を流れる冷却流体Ｗにより冷却された冷気を送出する冷気送出部４とを具備する雪冷房装置であって、前記雪収納部１は、床面部１Ａとこの床面部１Ａの周囲に連設される壁面部１Ｂとを有する雪収納空間であり、この雪収納部１の床面部１Ａ及び壁面部１Ｂに前記流体通過管２ｃ，２ｄが配設されていることを特徴とする雪冷房装置に係るものである。
【００１３】
また、請求項１記載の雪冷房装置において、前記雪収納部１を構成する床面部１Ａ、壁面部１Ｂ及び天井部１Ｃには断熱構造が具備せしめられていることを特徴とする雪冷房装置に係るものである。
【００１４】
また、請求項１，２いずれか１項に記載の雪冷房装置において、前記冷却流体Ｗは液体であることを特徴とする雪冷房装置に係るものである。
【００１５】
また、雪Ｓを収納する雪収納部１と、この雪収納部１に収納された雪Ｓと当接して該雪Ｓにより冷却される冷却流体Ｗが循環する流体通過管２ａ，２ｂ，２ｃ，２ｄで構成された冷却流体循環部２と、この冷却流体循環部２に連設され該冷却流体循環部２を流れる冷却流体Ｗにより冷却されて得た冷気を送出する冷気送出部４とを具備する雪冷房装置であって、前記雪収納部１は、床面部１Ａとこの床面部１Ａの周囲に連設される壁面部１Ｂとを有する雪収納空間であり、前記床面部１Ａには突出部６が設けられ、この突出部６には前記流体通過管２ｃが配設されていることを特徴とする雪冷房装置に係るものである。
【００１６】
また、請求項４記載の雪冷房装置において、前記突出部６には前記壁面部１Ｂに対向する立面部６Ａが設けられ、この立面部６Ａには前記流体通過管２ｃが配設されていることを特徴とする雪冷房装置に係るものである。
【発明の効果】
【００１７】
本発明は上述のように構成したから、前述した従来例と異なり、雪収納部内における雪のブリッジ現象が生じにくく、仮にブリッジ現象が生じたとしてもこのブリッジ状の雪は確実に崩れることになり、しかも、このブリッジ現象が生じている間も雪との熱交換が確実に行われるから、常に良好な冷房機能を発揮し得ることになるなど従来にない作用効果を発揮する画期的な雪冷房装置となる。
【発明を実施するための最良の形態】
【００１８】
好適と考える本発明の実施形態を、図面に基づいて本発明の作用を示して簡単に説明する。
【００１９】
冷却流体循環部２を循環する冷却流体Ｗは雪収納部１において雪Ｓにより冷却され、この雪収納部１で冷却された冷却流体Ｗは冷気送出部４へ送られ、この冷却流体Ｗにより冷却された冷気は冷気送出部４から送出される。この冷気送出部４で熱交換が行われて温度が上昇した冷却流体Ｗは雪収納部１へ送られ冷却される。
【００２０】
ところで、本発明に係る雪収納部１は、床面部１Ａとこの床面部１Ａの周囲に連設される壁面部１Ｂとを有する雪収納空間であり、この雪収納部１の床面部１Ａ及び壁面部１Ｂに流体通過管が配設されているから、前述した従来例のような雪収納部１内における雪Ｓのブリッジ現象は生じにくく、仮にブリッジ現象が生じたとしてもこのブリッジ状の雪Ｓは確実に崩れることになる。
【００２１】
具体的には、前述したように雪Ｓのブリッジ現象は、雪Ｓの下方部位のみが融けて雪Ｓと床面部との間に空洞Ｈが生じて対向する壁面部間に雪Ｓが架設された状態となることで生じるが、この点、本発明は、雪収納部１の床面部１Ａ及び壁面部１Ｂに流体通過管が配設されており、床面部１Ａに配設される流体通過管に当接する雪Ｓが融けるのは勿論、壁面部１Ｂに配設される流体通過管に当接する雪Ｓも融けることになるから、雪Ｓは対向する壁面部１Ｂ間に架設状態とはなれず、ブリッジ現象は生じない。
【００２２】
仮に、前述した本発明に係る構造であっても、壁面部１Ｂに配設される流体通過管における雪Ｓとの熱交換に比し、床面部１Ａに配設される流体通過管における雪Ｓとの熱交換が活発に進むことで、ブリッジ現象が生じることも考えられるが、いずれ壁面部１Ｂに配設される流体通過管に当接する雪Ｓは融けてブリッジ状の雪Ｓは崩れることになる（再び床面部１Ａに配設される流体通過管に雪Ｓが当接することになる）。
【００２３】
従って、前述した従来例と異なり、雪収納部１内における雪Ｓのブリッジ現象が生じにくく、仮にブリッジ現象が生じたとしてもこのブリッジ状の雪Ｓは確実に崩れることになり、しかも、このブリッジ現象が生じている間も雪Ｓとの熱交換が確実に行われることになるから、常に良好な冷房機能を発揮し得ることになる。
【実施例１】
【００２４】
本発明の具体的な実施例１について図１〜８に基づいて説明する。
【００２５】
本実施例は、雪Ｓを収納する雪収納部１と、この雪収納部１に収納された雪Ｓと当接して該雪Ｓにより冷却される冷却流体Ｗが循環する流体通過管２ａ，２ｂ，２ｃ，２ｄで構成された冷却流体循環部２と、この冷却流体循環部２に連設され該冷却流体循環部２を流れる冷却流体Ｗにより冷却された冷気を送出する冷気送出部４とを具備するものである。
【００２６】
尚、本実施例では、建物内を冷却する装置に本発明を適用しているが、例えばトラックや貨物列車の冷凍・冷蔵コンテナなどに適用しても良いなど、その適用範囲は多岐にわたるものである。
【００２７】
具体的には、雪収納部１は、図１に図示したように床面部１Ａと、この床面部１Ａの周囲に連設される壁面部１Ｂと、この壁面部１Ｂの上部に連設される天井部１Ｃとで構成されており、この雪収納部１を構成する床面部１Ａ、壁面部１Ｂ及び天井部１Ｃには断熱構造が具備せしめられている。
【００２８】
この雪収納部１は建物の外側近傍位置に設置される。尚、この雪収納部１の設置場所としてはこれに限らず、例えば地下や建物の基礎部分（高床部分）などでも良い。
【００２９】
図７は、雪収納部１の底面部１Ａを中央に傾斜させて排水部５を設けた場合を図示している。
【００３０】
尚、天井部１Ｃ若しくは壁面部１Ｂには開閉扉部が設けられており、この開閉扉部から雪収納空間内へ雪Ｓを供給したり（天井部１Ｃに設けられる開閉扉部を開放状態としておくことで降雪が自然に溜まる構造が望ましい。）、作業者が雪収納部１内へメンテナンス等のために出入りする。
【００３１】
冷却流体循環部２は、図１に図示したように雪収納部１と冷気送出部４との間に管状体を配設して構成されている。
【００３２】
具体的には、雪収納部１で冷却された冷却流体Ｗ（図１中実線矢印で表したＷ）を冷気送出部４へ送る送り用の流体通過管２ａと、冷気送出部４で熱交換が行われ温度が上昇した冷却流体Ｗ（図１中実線矢印で表したＷ）を雪収納部１へ戻す戻し用の流体通過管２ｂと、前記送り用の流体通過管２ａ及び戻し用の流体通過管２ｂに連設され雪収納部１の床面部１Ａに配設される床用の流体通過管２ｃと、前記送り用の流体通過管２ａ及び戻し用の流体通過管２ｂに連設され雪収納部１の壁面部１Ｂに配設される壁用の流体通過管２ｄとで構成されている。
【００３３】
送り用の流体通過管２ａ及び戻し用の流体通過管２ｂは、夫々断熱構造を具備する管状体であり、この送り用の流体通過管２ａ及び戻し用の流体通過管２ｂ同士の連設部位にして冷気送出部４内に配される部位は非断熱構造（熱伝導率の高い構造）に構成されている。
【００３４】
また、送り用の流体通過管２ａの途中部位にはポンプ装置Ｐが設けられており、このポンプ装置Ｐにより冷却流体循環部２を冷却流体Ｗが循環するように構成されている。
【００３５】
床用の流体通過管２ｃは、図１，２に図示したように雪収納部１内に配され床面部１Ａに渦巻状に配設される部位と、雪収納部１外に配され送り用の流体通過管２ａ及び戻し用の流体通過管２ｂ夫々に接続される部位とで構成され、本実施例では、床用の流体通過管２ｃを二組設けている。尚、この床用の流体通過管２ｃの組数は適宜変更（冷却効果を考慮して増設）し得るものである。
【００３６】
この床用の流体通過管２ｃにおける雪収納部１内に配される部位は非断熱構造（熱伝導率の高い構造）に構成され、一方、雪収納部１外に配される部位は断熱構造に構成されている。
【００３７】
壁用の流体通過管２ｄは、図１，３に図示したように雪収納部１内に配され床面部１Ｂに蛇行状に配設される部位と、雪収納部１外に配され送り用の流体通過管２ａ及び戻し用の流体通過管２ｂ夫々に接続される部位とで構成され、本実施例では、壁用の流体通過管２ｄを二組設けている。尚、この壁用の流体通過管２ｄの組数は適宜変更（冷却効果を考慮して増設）し得るものである。
【００３８】
この壁用の流体通過管２ｄにおける雪収納部１内に配される部位は非断熱構造（熱伝導率の高い構造）に構成され、一方、雪収納部１外に配される部位は断熱構造に構成されている。
【００３９】
尚、本実施例は、冷却流体循環部２を循環させる冷却流体Ｗとして不凍液（例えばアルコールと水を混ぜたものなど）を採用している。
【００４０】
冷気送出部４は、この種の装置で使用される既存の空調設備であり、送り用の流体通過管２ａと戻し用の流体通過管２ｂとの連設部位（図示省略）で得た冷気を建築物室内Ｒに送出する構成である。
【００４１】
図８は雪収納部１内に収納される雪Ｓの上部に配設される雪当て体７を使用した場合であり、この雪当て体７は、適宜な金属製の部材を形成した板状体７Ａの下面に流体通過管２ｅを配設して構成されている。
【００４２】
流体通過管２ｅは、雪収納部１内に配され板状体７ａに蛇行状に配設される部位と、雪収納部１外に配され送り用の流体通過管２ａ及び戻し用の流体通過管２ｂ夫々に接続される部位とで構成されている。この雪収納部１の内部に配設される部位と外部に配設される部位とは可撓管（図示省略）を介して連設されており、雪当て体７は融ける雪Ｓに合わせて下降することになる。
【００４３】
従って、雪当て体７によっても雪収納部１内に収納される雪Ｓに流体通過管２ｅが当接することで熱交換が行われるから、より一層良好な冷却効果が得られることになり、しかも、この雪当て体７により雪Ｓの上部を覆うことで断熱効果も得られることになる。
【００４４】
本実施例は上述のように構成したから、冷却流体循環部２を循環する冷却流体Ｗは雪収納部１にて冷却され、この雪収納部１で冷却された冷却流体Ｗは冷気送出部４へ送られ、この冷却流体Ｗにより冷却されて得た冷気は冷気送出部４から送出される。この冷気送出部４で熱交換が行われて温度が上昇した冷却流体Ｗは雪収納部１へ送られ冷却される。
【００４５】
雪収納部１の床面部１Ａには床用の流体通過管２ｃが配設されており、壁面部１Ｂには壁用の流体通過管２ｄが配設されており、よって、雪収納部１の床面部１Ａに接する雪Ｓが融けるのは勿論、雪収納部１の壁面部１Ｂに接する雪Ｓも融けることになるから、前述した従来例のような雪収納部１内における雪Ｓのブリッジ現象は生じにくく（図４参照）、仮にブリッジ現象が生じたとしてもこのブリッジ状の雪Ｓは確実に崩れることになる（図５，６参照）。
【００４６】
よって、本実施例によれば、前述した従来例と異なり、常に良好な冷房機能を発揮し得ることになる。
【００４７】
また、本実施例は、雪収納部１を構成する床面部１Ａ、壁面部１Ｂ及び天井部１Ｃには断熱構造が具備せしめられているから、確実に冬季に降る天然の雪Ｓを夏季まで長期に保存することができ、省エネルギーで環境に優しいクリーンな冷房手段が得られることになる。
【００４８】
また、本実施例は、冷却流体Ｗは液体であるから、確実且つ良好な熱交換が行われることになる。
【実施例２】
【００４９】
本発明の具体的な実施例２について図９に基づいて説明する。
【００５０】
本実施例は、図９に図示したように床面部１Ａに壁面部１Ｂに対向する立面部６Ａを有する断面三角形状の突出部６を一対設け、この突出部６夫々の立面部６Ａに流体通過管２ｃを配設している。
【００５１】
従って、雪収納部１の床面部１Ａ及び壁面部１Ｂに接する雪Ｓが融けるのは勿論、立面部６Ａに接する雪Ｓも融けることになるから、前述した従来例のような雪収納部１内における雪Ｓのブリッジ現象は生じにくく、仮にブリッジ現象が生じたとしてもこのブリッジ状の雪Ｓは確実に崩れることになる（壁面部１Ｂと突出部６との間でのブリッジ現象が生じにくいのは勿論、突出部６同士間でのブリッジ現象も生じにくい。）。
【００５２】
その余は実施例１と同様である。
【００５３】
尚、本発明は、実施例１、２に限られるものではなく、各構成要件の具体的構成は適宜設計し得るものである。
【図面の簡単な説明】
【００５４】
【図１】実施例１の概略構成を示す説明図である。
【図２】実施例１に係る要部を説明する平断面図である。
【図３】実施例１に係る要部を説明する斜視図である。
【図４】実施例１の使用状態説明図である。
【図５】実施例１の使用状態説明図である。
【図６】実施例１の使用状態説明図である。
【図７】実施例１の別タイプの雪収納部１に係る底面部１Ａを示す正断面図である。
【図８】実施例１に係る雪収納部１内の雪Ｓの上部に配設される雪当て体７の説明図である。
【図９】実施例２に係る要部を示す正断面図である。
【図１０】従来例の概略構成を示す説明図である。
【図１１】従来例の使用状態説明図である。
【符号の説明】
【００５５】
Ｓ  雪
Ｗ  冷却流体
１  雪収納部
１Ａ  床面部
１Ｂ  壁面部
１Ｃ  天井部
２  冷却流体循環部
４  冷気送出部
【図１】
2008164251.tif 000003
【図２】
2008164251.tif 000004
【図３】
2008164251.tif 000005
【図４】
2008164251.tif 000006
【図５】
2008164251.tif 000007
【図６】
2008164251.tif 000008
【図７】
2008164251.tif 000009
【図８】
2008164251.tif 000010
【図９】
2008164251.tif 000011
【図１０】
2008164251.tif 000012
【図１１】
2008164251.tif 000013